(57)【特許請求の範囲】
【請求項１】
乗場の側壁に取り付けられたエレベータの乗場機器を水滴から保護する防滴具において、上記乗場機器の上位で上記側壁に水平方向に延設されて水滴を堰き止める上部堰と、上記乗場機器の両側で上記側壁に上下方向に延設されて水滴を堰き止める側部堰と、ロ字状の枠体からなり、上辺が上記上部堰と重畳し、左右の両側辺がそれぞれ上記側部堰と重畳し、下辺が上記側壁との間に空隙を隔てて横設された上枠と、上縁部及び両側縁部が上記上枠によってそれぞれ上記上部堰及び上記側部堰に挟着されて取り付けられて上記乗場機器を覆い、下縁部が上記上枠の上記下辺の背面に沿って張設されて上記側壁との間に開口を形成する透明薄膜からなる防滴カバーとを備えたエレベータの乗場機器の防滴具。
【請求項２】
上部堰及び側部堰が側壁と当接する部分にコーキング材が施された請求項１に記載のエレベータの乗場機器の防滴具。
【発明の詳細な説明】
【０００１】
【発明の属する技術の分野】
この発明は、エレベータの乗場に取り付けられた乗場機器を水滴から保護するための防滴具に関する。
【０００２】
【従来の技術】
図４及び図５は、従来のエレベータの乗場機器の防滴具を示す。
図４は、乗場の側壁１に取り付けられた乗場操作盤２を水滴から保護するため、方形のポリ塩化ビニルの薄幕８で上記乗場操作盤２を覆い、上記薄幕８の四隅を粘着テープ８ａで側壁１に貼着した防滴具を示す。
また、図５は、乗場操作盤２を覆う薄幕８の全周を粘着テープ８ｂで側壁１に貼着した防滴具を示す。
【０００３】
【発明が解決しようとする課題】
しかしながら、上記図４に示す防滴具では、薄幕８の周縁に粘着テープ８ａで貼着されていない部分がある。この部分において、薄幕８と側壁１の間から浸水して乗場操作盤２を濡らすこととなり、防滴の目的が達せられない、という問題があった。また、薄幕８の裏側へ浸水した水滴は、内部の湿気を高め、このため薄幕８の裏面に水滴が付着して曇り、乗場操作盤２に表示された信号が見えなくなる、という問題もあった。更に、粘着テープ８ａは、水滴によって、又は時間の経過によって劣化して粘着力が低下し剥離する、という問題もあった。
【０００４】
また、上記図５に示す防滴具では、薄幕８の全周を粘着テープ８ｂで側壁１に貼着するものの、粘着テープ８ｂの劣化による剥離のために、図４に示すものと同様に防滴の目的を達することができなかった。恒久的な防滴具とするには、剥離に先立って新たな粘着テープ８ｂで貼り替えなければならず、粘着作業が面倒である、という問題もあった。また、このものにあっても、図４に示すものと同様に薄幕８の裏面に水滴が付着して曇る、という問題もあった。
【０００５】
この発明は、上記問題点を解決するためになされたものであり、乗場の側壁に取り付けられたエレベータの乗場機器を水滴から保護する防滴具を得ることを目的とする。
また、湿気によって防滴具が曇らない防滴具を得ることを目的とする。
【０００６】
【課題を解決するための手段】
この発明に係る第１のエレベータの乗場機器の防滴具は、上記乗場機器の上位で上記乗場機器の取り付けられた側壁に水平方向に延設されて水滴を堰き止める上部堰と、上記乗場機器の両側で上記側壁に上下方向に延設されて水滴を堰き止める側部堰と、上記上部堰及び上記側部堰のそれぞれと重畳するロ字状の上枠と、上縁部及び両側縁部が上記上枠によってそれぞれ上記上部堰及び上記側部堰に挟着されて取り付けられて上記乗場機器を覆い、下縁部が上記上枠の下辺の背面に沿って張設されて上記側壁との間で開口を形成する透明薄膜からなる防滴カバーとで構成されたものである。
【０００７】
この発明に係る第２のエレベータの乗場機器の防滴具は、第１のエレベータの乗場機器の防滴具において、上部堰及び側部堰と側壁との当接部分にコーキング材を施すようにしたものである。
【０００８】
【発明の実施の形態】
実施の形態１．
図１から図３は、この発明の実施の形態１を示す。
図において、１は側壁、２はこの側壁１に埋設された乗場機器である乗場操作盤を示す。この乗場操作盤２は、表板２ａと、かごの運転方向を示す方向灯２bと、かごの位置を示す位置表示機２ｃと、上方向のかごを呼び寄せるＵＰ釦２ｄと、下方向のかごを呼び寄せるＤＯＷＮ釦２ｅとからなる。３は乗場操作盤２の上位で少なくとも全幅に亙って延設された上部堰、３ａはこの上部堰３と側壁１の当接部に施されたコーキング材、４は乗場操作盤２の左側で少なくとも全長に亙って側壁１に上下方向に延設されて水滴を堰き止める左側部堰、４ａはこの左側部堰４と側壁１の当接部に施されたコーキング材、５は乗場操作盤２の右側で少なくとも全長に亙って側壁１に上下方向に延設されて水滴を堰き止める左側部堰と、５ａはこの右側部堰と側壁１の当接部に施されたコーキング材である。
【０００９】
６はロ字状の枠体からなる上枠で、上部堰３、左側部堰４及び右側部堰５のそれぞれと重畳する。９は縁部が上枠６によって上部堰３、左側部堰４及び右側部堰５に押圧されて取り付けられて乗場操作盤２を覆うポリ塩化ビニル材の薄幕からなる防滴カバー、１０は上枠６を上部堰３、左側部堰４及び右側部堰５に緊締するねじである。
従って、上部堰３、左側部堰４、右側部堰５、コーキング材３ａ〜５ａ、上枠６、防滴カバー９及びねじ１０は、乗場操作盤２を水滴から保護する防滴具を構成する。
【００１０】
上記実施の形態１において、側壁１を伝って落ちる水滴は、上部堰３によって遮られるので乗場操作盤２は水滴から保護される。また、左右の側部から降り注ぐ水滴は、左側部堰４及び右側部堰５によって遮られて乗場操作盤２は同様に保護される。更に、前面からの水滴は、防滴カバー９によって保護される。更にまた、乗場操作盤２の下方は、上枠６と側壁１の間が開口となっていて換気される。
【００１１】
上記実施の形態１によれば、乗場操作盤２は、上部堰３、左側部堰４、右側部堰５、及び防滴カバー９からなる防滴具によって水滴から保護される。
また、乗場操作盤２の下方は、上枠６と側壁１の間が開口となっていて換気されるので、防滴カバー９が曇ることはない。このため乗場操作盤２に表示された信号が見えなくなる、ということはない。
更にまた、防滴カバー９はポリ塩化ビニル材の薄幕からなるものとしたので、可撓性がある。このため、防滴カバー９の表面からＵＰ釦２ｄ及びＤＯＷＮ釦２ｅを押下することができる。
更にまた、防滴カバー９が劣化し、又は汚損したとしても、上枠６を取り外すことにより、防滴カバー９を容易に更新することができる。
【００１２】
実施の形態２．
防滴カバー９はポリ塩化ビニル材に限られるものではなく、透明で可撓性があれば良いものである。
また、乗場機器が信号灯のみからなり、外部から操作されるものではない場合は、防滴カバー９は、単に透明であれば良く、可撓性は要しない。
【００１３】
【発明の効果】
この発明は、以上述べたとおり構成されているので、以下の効果を奏する。
この発明に係る第１のエレベータの乗場機器の防滴具によれば、上記乗場機器の上位で上記乗場機器の取り付けられた側壁に水平方向に上部堰を延設したので、上部からの水滴を堰き止めることができ、上記乗場機器の両側で上記側壁に上下方向に側部堰を延設したので、側部からの水滴を堰き止めることができ、かつ、上記乗場機器を透明薄膜からなる防滴カバーで覆ったので、正面からの水滴に対しても保護することができる、という効果を奏する。
特に、上部堰及び側部堰のそれぞれと重畳するロ字状の上枠によって上記防滴カバーを挟着して取り付けて上記乗場機器を覆うと共に、防滴カバーの下縁部を上記上枠の下辺の背面に沿って張設して上記側壁との間に開口を形成するようにしたので、防滴カバーの内部は換気される。このため、防滴カバーの内面が曇ることはない、という効果を奏する。
また、上記上枠の着脱により防滴カバーを容易に更新できる、という効果も併せて奏する。
【００１４】
この発明に係る第２のエレベータの乗場機器の防滴具によれば、第１のエレベータの乗場機器の防滴具において、上部堰及び側部堰と側壁との当接部分にコーキング材を施すようにしたので、乗場機器の取付部の機密性を高めて水滴による浸水を更に確実なものとすることができる、という効果を奏する。
【図面の簡単な説明】
【図１】  この発明の実施の形態１における乗場機器の正面図。
【図２】  図１のＩＩ−ＩＩ線の断面を図示矢印方向から見た断面図。
【図３】  この発明の実施の形態１における乗場機器の分解斜視図。
【図４】  従来のエレベータの乗場機器の防滴具を示す正面図。
【図５】  従来のエレベータの乗場機器の他の防滴具を示す正面図。
【符号の説明】
１  側壁、  ２  乗場操作盤、  ２ａ  表板、  ２ｂ  方向灯、  ２ｃ  位置表示器、  ２ｄ  ＵＰ釦、  ２ｅ  ＤＯＷＮ釦、  ３  上部堰、  ３ａ  コーキング材、  ４  左側堰、  ４ａ  コーキング材、  ５  右側堰、  ５ａ  コーキング材、  ６  上枠、  ９  防滴カバー、  １０  ねじ。
【図１】
0003768717.tif 000002
【図２】
0003768717.tif 000003
【図３】
0003768717.tif 000004
【図４】
0003768717.tif 000005
【図５】
0003768717.tif 000006